(57)【要約】【課題】  シューズ内部の湿度変化に応じて保温性および通気性を調整できるとともに、通気性を阻害することなく強度を向上できるシューズ用アッパー構造を提供する。【解決手段】  シューズのアッパー構造４において、湿度９５％以上のときの捲縮率が１０％未満、湿度４５％以下のときの捲縮率が２０％以上、湿度６５％のときの捲縮率が１５〜２０％であって捲縮数が２５個／インチ以上であるセルロースアセテート繊維４１を含む生地４０を少なくとも一部に有するアッパー本体と、アッパー本体の生地４０の表面に固着され、シューズ長手方向およびシューズ幅方向に区画された複数の開孔４５ｃを有する樹脂製の補強材４５とを設ける。【選択図】  図１
2007061388.tif 000002
【特許請求の範囲】
【請求項１】
シューズのアッパー構造であって、
湿度９５％以上のときの捲縮率が１０％未満、湿度４５％以下のときの捲縮率が２０％以上、かつ湿度６５％のときの捲縮率が１５〜２０％であって捲縮数が２５個/インチ以上であるセルロースアセテート繊維を含む生地を少なくとも一部に有するアッパー本体と、
前記アッパー本体の前記生地の表面に固着され、シューズ長手方向およびシューズ幅方向に区画された複数の開孔を有する補強材と、
を備えたシューズのアッパー構造。
【請求項２】
請求項１において、
前記セルロースアセテート繊維は、平均置換度が２．５以上異なるセルロースアセテートをサイドバイサイド型に形成することにより構成されている、
ことを特徴とするシューズのアッパー構造。
【請求項３】
請求項１において、
前記補強材が、シューズ長手方向およびシューズ幅方向またはこれらと斜めに交差する方向にそれぞれ延びる複数の線状部材から格子状に構成されている、
ことを特徴とするシューズのアッパー構造。
【請求項４】
請求項３において、
シューズ長手方向およびシューズ幅方向の前記各線状部材により形成される各格子が、シューズ長手方向に延びる矩形形状を有している、
ことを特徴とするシューズのアッパー構造。
【請求項５】
請求項３において、
シューズ長手方向およびシューズ幅方向の前記各線状部材により形成される各格子が正方形形状を有している、
ことを特徴とするシューズのアッパー構造。
【請求項６】
請求項５において、
シューズ長手方向の前記線状部材の幅寸法が、シューズ幅方向の前記線状部材の幅寸法よりも大きくなっている、
ことを特徴とするシューズのアッパー構造。
【請求項７】
請求項１において、
前記補強材が、複数の線状部材によりハニカム状に構成されている、
ことを特徴とするシューズのアッパー構造。
【請求項８】
請求項１において、
前記補強材がシート状の部材であって、前記開孔が、菱形、楕円形または円形に形成されている、
ことを特徴とするシューズのアッパー構造。
【請求項９】
請求項１において、
前記アッパー構造が、シューズ着用者の足の指部、足甲部または土踏まず部に対応するアッパー領域に設けられている、
ことを特徴とするシューズのアッパー構造。
【発明の詳細な説明】
【技術分野】
【０００１】
本発明は、シューズのアッパー構造に関し、詳細には、シューズ内部の湿度変化に応じて保温性および通気性を調整できるとともに、通気性を阻害することなく強度を向上できるようにしたものに関する。
【背景技術】
【０００２】
シューズ内部の湿度変化に応じて通気性を調整するために、特開２００５−１０２９３３号公報に示すようなアッパー構造が本件出願人により提案されている。このアッパー構造では、シューズ内部の湿度変化に応じて捲縮率が変化する繊維（たとえばセルロースアセテート繊維）を含む生地からアッパー材が構成されている。
【０００３】
この場合には、シューズ内部の湿度が高くなると、繊維の捲縮率が低下して繊維が伸び、その結果、繊維の編目間の空隙が大きくなって、生地の通気度が増加する。その一方、シューズ内部の湿度が低くなると、繊維の捲縮率が増加して繊維が縮み、その結果、繊維の編目間の空隙が小さくなって、生地の通気度が減少する。
【０００４】
このようなアッパー構造によれば、空気が乾燥した冬期には、生地の通気度が低下してシューズ内部の保温性を向上できる一方、運動によってシューズ内部の湿度が増した場合には、生地の通気度が上昇してシューズの通気性を向上できる。
【０００５】
ところが、上記繊維からなる生地は、破裂強度が２００kPa程度しかなく、このような生地単体では、使用中に高応力が作用するシューズのアッパー材には適さない。そこで、実際にアッパー材に適用する際には、上記繊維からなる生地の裏面側にたとえばポリエステル繊維製の補強用生地を配置し、これをポリエステル繊維等からなる連結糸で表側の上記繊維からなる生地に連結することが行われているが、この場合には、アッパー構造が複雑になる。
【０００６】
その一方、アッパー材の強度を向上させるために、アッパー材表面に、たとえば皮革製の帯状またはシート状の補強材を固着することが従来より行われている。
しかしながら、このような補強材は、シート表面を広く覆うことになるため、アッパー材の通気性を阻害するという問題が発生する。
【特許文献１】特開２００５−１０２９３３号公報（段落［００１４］〜［００２０］参照）
【発明の開示】
【発明が解決しようとする課題】
【０００７】
本発明が解決しようとする課題は、シューズ内部の湿度変化に応じて保温性および通気性を調整できるとともに、通気性を阻害することなく強度を向上できるシューズ用アッパー構造を提供することにある。
【課題を解決するための手段】
【０００８】
請求項１の発明に係るシューズ用アッパー構造は、湿度９５％以上のときの捲縮率が１０％未満、湿度４５％以下のときの捲縮率が２０％以上、かつ湿度６５％のときの捲縮率が１５〜２０％であって捲縮数が２５個/インチ以上であるセルロースアセテート繊維を含む生地を少なくとも一部に有するアッパー本体と、アッパー本体の前記生地の表面に固着され、シューズ長手方向およびシューズ幅方向に区画された複数の開孔を有する補強材とを備えている。
【０００９】
請求項１の発明によれば、補強材に形成された開孔からアッパー本体の生地表面がシューズ外部に露出しており、通気は補強材の開孔部分を通して行われる。湿度が９５％以上のときには、捲縮率が１０％未満で繊維の捲縮がほとんどなく繊維が伸びており、このため、繊維の編目間の空隙が大きくなって生地の通気度が増加する。これにより、運動によってシューズ内部の湿度が増した場合において、生地の通気度が上昇してシューズの通気性を向上できる。また、湿度が４５％以下のときには、捲縮率が２０％以上で繊維の捲縮が大きく繊維が縮んでおり、このため、繊維の編目間の空隙が小さくなって生地の通気度が減少する。これにより、空気が乾燥した冬期においては、生地の通気度が低下してシューズ内部の保温性を向上できる。さらに、湿度６５％のときには、捲縮率が１５〜２０％であって捲縮数が２５個/インチ以上であり、このため、通常の環境下において適度の通気度および生地の膨らみ感が得られる。
【００１０】
なお、ここで、湿度９５％以上のときの捲縮率を１０％未満としたのは、捲縮率が１０％を超えると、通気度が低下して、肌に対するべとつき感が発生するためである。また、湿度４５％以下のときの捲縮率を２０％以上としたのは、捲縮率が２０％未満では、低温低湿時の保温性が不足するためである。さらに、湿度６５％のときの捲縮率を１５〜２０％としかつ捲縮数を２５個/インチ以上としたのは、捲縮率が１５％未満では生地の膨らみ感が不足し、２０％を超えると通気度が低下するためであり、また捲縮数が２５個/インチ未満では、捲縮にともなう表面変化が不足して生地としての良好な意匠性が得られなくなるためである。
【００１１】
さらに、請求項１の発明によれば、シューズ長手方向およびシューズ幅方向に区画された複数の開孔を有する補強材がアッパー本体の生地表面に固着されているので、シューズ長手方向およびシューズ幅方向の引張力に対してアッパー本体を補強できる。しかも、この場合には、上述したように、アッパー本体に形成された開孔部分を通してアッパー本体の通気性を確保できるので、補強材を設けることで通気性が阻害されることはない。
【００１２】
セルロースアセテート繊維は、請求項２の発明に記載されているように、平均置換度が２．５以上異なるセルロースアセテートをサイドバイサイド型に形成することにより構成されているのが好ましい。
【００１３】
ここで、平均置換度を２．５以上としたのは、平均置換度の差が２．５未満では、湿度による捲縮率の変化が十分ではないからである。
【００１４】
請求項３の発明においては、補強材が、シューズ長手方向およびシューズ幅方向またはこれらと交差する方向にそれぞれ延びる複数の線状部材から格子状に構成されている。
【００１５】
この場合には、補強材が複数の線状部材から構成されることにより、アッパー本体において広い通気領域を確保できる。
【００１６】
請求項４の発明においては、シューズ長手方向およびシューズ幅方向の各線状部材により形成される各格子が、シューズ長手方向に延びる矩形形状（すなわち縦長の長方形形状）を有している。
【００１７】
この場合には、シューズ長手方向の線状部材の方がシューズ幅方向の線状部材よりも密に配設されることになるので、シューズ長手方向に伸びにくいアッパー構造を実現できる。このようなアッパー構造は、たとえばランニングやウォーキングのように、前後方向に大きな力が作用するためにアッパー長手方向の伸び難さが要求される直進系の競技種目に適している。
【００１８】
なお、これとは逆に、シューズ長手方向およびシューズ幅方向の各線状部材により形成される各格子が、シューズ幅方向に延びる矩形形状（すなわち横長の長方形形状）を有していてもよい。これは、請求項３の発明に含まれている。
【００１９】
この場合には、シューズ幅方向の線状部材の方がシューズ長手方向の線状部材よりも密に配設されることになるので、シューズ幅方向に伸びにくいアッパー構造を実現できる。このようなアッパー構造は、たとえばサッカーやバスケット、テニスのように、横方向に大きな力が作用するためにアッパー幅方向の伸び難さが要求される競技種目に適している。
【００２０】
さらに、競技中にシューズのアッパーに実際に作用する力を分析し、その分析結果に基づいて、必要な方向が補強されるように補強材を配置するようにしてもよい。これは、請求項３の発明に含まれている。
【００２１】
請求項５の発明においては、シューズ長手方向およびシューズ幅方向の各線状部材により形成される各格子が正方形形状を有している。
【００２２】
この場合には、シューズ長手方向にもシューズ幅方向にも同程度の伸びを示すアッパー構造を実現できる。このようなアッパー構造は、たとえばゴルフやバレーボールのように、前後方向および左右方向に同程度の力が作用するためにアッパー長手方向およびアッパー幅方向に同程度の伸び難さが要求される競技種目に適している。
【００２３】
請求項６の発明においては、シューズ長手方向の線状部材の幅寸法が、シューズ幅方向の線状部材の幅寸法よりも大きくなっている。この場合には、シューズ長手方向に伸びにくいアッパー構造を実現できる。
【００２４】
請求項７の発明においては、補強材が、複数の線状部材によりハニカム状に構成されている。この場合には、シューズ長手方向にもシューズ幅方向にも同程度の伸びを示すアッパー構造を実現できる。
【００２５】
請求項８の発明においては、補強材がシート状の部材であって、開孔が、菱形、楕円形または円形に形成されている。
【００２６】
アッパー構造は、請求項９の発明に記載されているように、好ましくは、シューズ着用者の足の指部、足甲部または土踏まず部に対応するアッパー領域に設けられる。これらの領域は、運動時に発汗が多く、とくに蒸れ易い領域だからである。
【発明の効果】
【００２７】
以上のように本発明によれば、湿度変化に応じた所定の捲縮率および捲縮数を有するセルロースアセテート繊維を含む生地からアッパー本体を構成するとともに、シューズ長手方向およびシューズ幅方向に区画された複数の開孔を有する補強材をアッパー本体の生地表面に固着したので、シューズ内部の湿度変化に応じて保温性および通気性を調整できるとともに、通気性を阻害することなくシューズアッパーの強度を向上できるようになる。
【発明を実施するための最良の形態】
【００２８】
以下、本発明の実施例を添付図面に基づいて説明する。
＜第１の実施例＞
図１ないし図６は、本発明の第１の実施例を説明するための図であって、図１は本発明の第１の実施例によるアッパー構造を採用するシューズの全体斜視図、図２は前記アッパー構造におけるアッパー本体の生地を形成するセルロースアセテート繊維の湿度９５％の雰囲気下における状態を示す平面拡大部分図、図３はセルロースアセテート繊維の湿度６５％の雰囲気下における状態を示す平面拡大部分図、図４はセルロースアセテート繊維を含む編物の湿度９５％の雰囲気下における状態を示す拡大模式図、図５はセルロースアセテート繊維を含む編物の湿度６５％の雰囲気下における状態を示す拡大模式図、図６は補強材の配設パターンを示す平面概略図である。
【００２９】
図１に示すように、シューズ１は、アッパー２と、その下部に固着されたソール３とを備えている。着用者の足指およびその周辺部に対応するアッパー先端部領域２ａには、本発明の第１の実施例によるアッパー構造４が設けられている。
【００３０】
アッパー構造４は、図２および図３に示すように、セルロースアセテート繊維４１を含む生地４０からなるアッパー本体を有している。このセルロースアセテート繊維４１は、湿度９５％以上のときの捲縮率が１０％未満（図２参照）、湿度４５％以下のときの捲縮率が２０％以上、湿度６５％のときの捲縮率が１５〜２０％であって捲縮数が２５個/インチ以上となるように（図３参照）、平均置換度が２．５以上異なるセルロースアセテートをサイドバイサイド型に形成することにより構成されている。また、セルロースアセテート繊維４１の各編目間には、空隙４２が形成されている。
【００３１】
生地４０の上には、図６に示すような補強材４５が固着されている。補強材４５は、シューズ長手方向（図示Ｘ方向）に延びる複数の線状部材４５ａと、シューズ幅方向（図示Ｙ方向）に延びる複数の線状部材４５ｂとから格子状に構成されている。隣り合う各線状部材４５ａ間の間隔ｓは、隣り合う各線状部材４５ｂ間の間隔ｔよりも小さくなっており、各線状部材４５ａ，４５ｂにより区画される各格子は、シューズ長手方向に長い矩形形状を有している。このように、各線状部材４５ａ，４５ｂを格子状に配設することにより、補強材４５は、下方の生地４０が露出する複数の開孔４５ｃを有している。なお、図１では、図示の便宜上、各線状部材４５ａ間の間隔ｓおよび各線状部材４５ｂ間の間隔ｔを誇張して描いている。
【００３２】
補強材４５は、好ましくは熱硬化性ポリウレタン樹脂から形成されるが、ナイロン樹脂やその他の樹脂（熱可塑性樹脂含む）またはラバーから形成するようにしてもよい。また、補強材４５をアッパー本体の生地４０上に固着する手法としては、たとえば、補強材４５と逆の凹凸パターンを有する孔板を用意して孔板に液状樹脂を流し込み、スキージング（スキージ処理）を行った後、液状樹脂を半硬化させて接着剤を塗布し、これを生地４０とともにプレスすることにより、完成品を得る。
【００３３】
次に、上述のように構成されるアッパー構造の作用効果について説明する。
アッパー構造４においては、補強材４５に形成された開孔４５ｃを通してアッパー本体の生地４０表面がシューズ外部に露出しており、通気は補強材４５の開孔４５ｃ部分を通して行われる。
【００３４】
シューズ内雰囲気が湿度６５％のときには、繊維４１の捲縮率が１５〜２０％であって繊維４１が多少縮んでいるので（図５参照）、繊維４１の編目間の空隙４２が多少小さくなっており（図３参照）、生地４０の通気度が減少している。この状態における生地４０の通気度は、１１０ｃｍ３/ｃｍ２・ｓｅｃである。これは、通常の環境下において、適度の通気度であるといえる。また、この場合には、生地４０として適度の膨らみ感が得られている。さらに、捲縮数が２５個/インチ以上であることにより、生地としての良好な意匠性が得られている。
【００３５】
シューズ内雰囲気が湿度４５％以下のときには、繊維４１の捲縮率が２０％以上であって捲縮が大きく繊維４１がさらに縮んでいるので、繊維４１の編目間の空隙４２がさらに小さくなっており、生地４０の通気度がさらに減少している。このため、空気が乾燥した冬期においては、縮小した空隙４２によって生地４０の通気度が低下していることにより、シューズ内部の保温性を向上できる。
【００３６】
シューズ内雰囲気が湿度９５％以上のときには、繊維４１の捲縮率が１０％未満であって捲縮がほとんどなく繊維４１が伸びているので（図４参照）、繊維４１の編目間の空隙４２が大きくなっており（図２参照）、生地４０の通気度が増加している。この状態における生地４０の通気度は、１５０ｃｍ３/ｃｍ２・ｓｅｃであり、これは、湿度６５％の雰囲気下での通気度の約１．４倍になっている。このため、運動によってシューズ内部の湿度が増加した場合には、このように拡大した空隙４２を介してシューズの通気性を向上できる。
【００３７】
なお、ここで、湿度９５％以上のときの捲縮率を１０％未満としたのは、捲縮率が１０％を超えると、通気度が低下して、肌に対するべとつき感が発生するためである。また、湿度４５％以下のときの捲縮率を２０％以上としたのは、捲縮率が２０％未満では、低温低湿時の保温性が不足するためである。さらに、湿度６５％のときの捲縮率を１５〜２０％としかつ捲縮数を２５個/インチ以上としたのは、捲縮率が１５％未満では生地の膨らみ感が不足し、２０％を超えると通気度が低下するためであり、また捲縮数が２５個/インチ未満では、捲縮にともなう表面変化が不足して生地としての良好な意匠性が得られなくなるためである。また、平均置換度が２．５以上異なるセルロースアセテートをサイドバイサイド型に形成することによりセルロースアセテート繊維４１を構成したのは、平均置換度の差が２．５未満では、湿度による捲縮率の変化が十分ではないからである。
【００３８】
さらに、本アッパー構造によれば、シューズ長手方向およびシューズ幅方向に区画された複数の開孔４５ｃを有する樹脂製の補強材４５がアッパー本体の生地表面に固着されているので、運動中にアッパー本体に作用するシューズ長手方向およびシューズ幅方向の引張力に対してアッパー本体を補強できる。しかも、この場合には、上述したように、補強部材４５に形成された開孔４５ｃ部分を通してアッパー本体の通気性を確保できるので、補強材４５を設けることで通気性が阻害されることはない。
【００３９】
すでに述べたように、セルロースアセテート繊維４１のみからなる生地４０は破裂強度が２００kPa程度しかないが、生地４０の上に補強材４５を設けることで、破裂強度が１８００kPaまで増加した。これは、シューズ用アッパー材に要求される強度としては十分な大きさである。
【００４０】
また、補強材４５が複数の線状部材４５ａ，４５ｂから構成されることにより、アッパー本体において広い通気領域を確保できる。
【００４１】
さらに、この場合、シューズ長手方向およびシューズ幅方向の各線状部材４５ａ，４５ｂにより形成される各格子が、シューズ長手方向に延びる矩形形状を有しており、シューズ長手方向の線状部材４５ａの方がシューズ幅方向の線状部材４５ｂよりも密に配設されることになるので、シューズ長手方向により伸びにくいアッパー構造を実現できる。
【００４２】
一般に、シューズのアッパーは、運動中には、シューズ幅方向にある程度伸びることが要求されるが、シューズ長手方向には伸びない方が好ましい。この第１の実施例では、シューズ長手方向の伸びが抑えられるので、このような要請を満足できる。
【００４３】
＜第２の実施例＞
図７は、本発明の第２の実施例によるアッパー構造を構成する補強材の配設パターンを示す平面概略図である。なお、同図において、前記第１の実施例と同一符号は同一または相当部分を示している。
【００４４】
この第２の実施例では、シューズ長手方向およびシューズ幅方向の各線状部材４５ａ，４５ｂにより形成される各格子が正方形形状を有しており、隣り合う各線状部材４５ａ間の間隔ｔは、隣り合う各線状部材４５ｂ間の間隔ｔと等しくなっている。補強材４５は、前記第１の実施例における樹脂と同様の樹脂を用いて、同様の手法によりアッパー本体の生地４０の上に固着されている。
【００４５】
また、第２の実施例では、シューズ長手方向の線状部材４５ａの幅寸法が、シューズ幅方向の線状部材４５ｂの幅寸法よりも大きくなっている。この場合においても、前記第１の実施例と同様に、シューズ長手方向により伸びにくいアッパー構造を実現できる。
【００４６】
＜第３の実施例＞
図８は、本発明の第３の実施例によるアッパー構造を構成する補強材の配設パターンを示す平面概略図である。なお、同図において、前記第１および第２の実施例と同一符号は同一または相当部分を示している。
【００４７】
この第３の実施例では、シューズ長手方向およびシューズ幅方向の各線状部材４５ａ，４５ｂにより形成される各格子が正方形形状を有しており、隣り合う各線状部材４５ａ間の間隔ｔは、隣り合う各線状部材４５ｂ間の間隔ｔと等しくなっている。補強材４５は、前記第１の実施例における樹脂と同様の樹脂を用いて、同様の手法によりアッパー本体の生地４０の上に固着されている。
【００４８】
また、第３の実施例では、第２の実施例と異なり、シューズ長手方向の線状部材４５ａの幅寸法は、シューズ幅方向の線状部材４５ｂの幅寸法と等しくなっている。したがって、この場合には、アッパーは、シューズ長手方向にもシューズ幅方向にも同程度の伸びを示すことになる。
【００４９】
なお、前記第１ないし第３の実施例では、補強材４５が、各線状部材４５ａ，４５ｂをシューズ長手方向およびシューズ幅方向に格子状に交差させることにより構成された例を示したが、本発明の適用はこれに限定されない。
【００５０】
＜第４の実施例＞
図９は、本発明の第４の実施例によるアッパー構造を示す平面概略図である。同図において、前記第１ないし第３の実施例と同一符号は同一または相当部分を示している。この第４の実施例では、補強材４５としてシート状部材４７が用いられており、シート状部材４７には、菱形状の多数の開孔４８が形成されている。この例では、各菱形についてシューズ長手方向の対角線の方が長くなっている。この場合には、前記第１および第２の実施例と同様に、シューズ長手方向により伸びにくいアッパー構造を実現できる。
【００５１】
＜第５の実施例＞
図１０は、本発明の第５の実施例によるアッパー構造を示す平面概略図である。同図において、前記第１ないし第３の実施例と同一符号は同一または相当部分を示している。この第５の実施例では、補強材４５としてシート状部材４７が用いられており、シート状部材４７には、楕円状の多数の開孔４８が形成されている。この例では、各楕円についてシューズ長手方向の軸が長軸になっている。この場合には、前記第１および第２の実施例と同様に、シューズ長手方向により伸びにくいアッパー構造を実現できる。
【００５２】
＜第６の実施例＞
図１１は、本発明の第６の実施例によるアッパー構造を示す平面概略図である。同図において、前記第１ないし第３の実施例と同一符号は同一または相当部分を示している。この第６の実施例では、補強材４５としてシート状部材４７が用いられており、シート状部材４７には、円形状の多数の開孔４８が形成されている。この場合には、前記第３の実施例と同様に、アッパーは、シューズ長手方向にもシューズ幅方向にも同程度の伸びを示すことになる。
【００５３】
＜第７の実施例＞
図１２は、本発明の第７の実施例によるアッパー構造を示す平面概略図である。同図において、前記第１ないし第３の実施例と同一符号は同一または相当部分を示している。この第７の実施例では、補強材４５が、多数の線状部材４５ｄにより形成された多数の正六角形を含むハニカム状に構成されている。この場合には、前記第３の実施例と同様に、アッパーは、シューズ長手方向にもシューズ幅方向にも同程度の伸びを示すことになる。
【００５４】
＜第８の実施例＞
図１３は、本発明の第８の実施例によるアッパー構造を示す平面概略図である。同図において、前記第１ないし第３の実施例と同一符号は同一または相当部分を示している。この第８の実施例では、補強材４５が、シューズ長手方向（図示Ｘ方向）およびシューズ幅方向（図示Ｙ方向）と斜めに交差する方向に延びかつ各々平行に配設された複数の線状部材４５ａと、各線状部材４５ａと斜めに交差する方向に延びかつ各々平行に配設された複数の線状部材４５ｂとから構成されており、各線状部材４５ａ，４５ｂにより区画される各格子は、菱形形状または平行四辺形形状を有している。
【００５５】
＜第９の実施例＞
図１４は、本発明の第９の実施例によるアッパー構造を示す平面概略図である。同図において、前記第１ないし第３の実施例と同一符号は同一または相当部分を示している。この第９の実施例では、補強材４５は、シューズ長手方向（図示Ｘ方向）に長く延びる複数の線状部材４５ａと、シューズ幅方向（図示Ｙ方向）に延びるとともに、隣り合う各線状部材４５ａ間に架設された、長さの短い複数の線状部材４５ｂとから構成されている。シューズ長手方向の線状部材４５ａの左右両側に配設される各線状部材４５ｂは、互いにオフセットされている。また、この例では、各線状部材４５ａ，４５ｂにより区画される各格子は、正方形形状または長方形形状を有している。
【００５６】
なお、前記各実施例では、アッパー構造４が着用者の足指およびその周辺部に対応するアッパー先端部領域２ａに設けられた例を示したが、本発明の適用はこれに限定されない。
【００５７】
アッパー構造４は、図１３に示すように、着用者の足甲部に対応する舌革部２ｂに設けられていてもよい。あるいは、アッパー構造４は、図１４に示すように、着用者の土踏まず部に対応する中足部領域２ｃに設けられていてもよい。これらのアッパー領域は、アッパー先端部領域２ａとともに、運動時には着用者の足の中でもっとも発汗量が多く、蒸れ易い部分である。
【００５８】
また、前記各実施例では、本発明によるアッパー構造がシューズのアッパーの一部に設けられた例を示したが、本発明によるアッパー構造は、アッパー全体に設けるようにしてもよい。この場合には、アッパー全域にわたって通気性を向上できるとともに、シューズを軽量化できる。
【００５９】
本発明によるアッパー構造が採用されるシューズとしては、ランニングシューズ、ウォーキングシューズ、テニスシューズ、バスケットボールシューズの他、野球用スパイクシューズ、サッカー用スパイクシューズ、ゴルフシューズなどのその他のスポーツシューズ、さらには、スポーツシューズだけでなく、紳士靴、婦人靴、子供用運動靴などにも同様に適用可能である。
【図面の簡単な説明】
【００６０】
【図１】本発明の第１の実施例によるアッパー構造がアッパー先端部領域に適用されたシューズの全体斜視図である。
【図２】前記アッパー構造（図１）におけるアッパー本体の生地を形成するセルロースアセテート繊維の湿度９５％の雰囲気下における状態を示す平面拡大部分図である。
【図３】前記セルロースアセテート繊維（図２）の湿度６５％の雰囲気下における状態を示す平面拡大部分図である。
【図４】前記セルロースアセテート繊維（図２）を含む編物の湿度９５％の雰囲気下における状態を示す拡大模式図である。
【図５】前記セルロースアセテート繊維（図２）を含む編物の湿度６５％の雰囲気下における状態を示す拡大模式図である。
【図６】前記アッパー構造（図１）における補強材の配設パターンを示す平面概略図である。
【図７】本発明の第２の実施例によるアッパー構造を構成する補強材の配設パターンを示す平面概略図である。
【図８】本発明の第３の実施例によるアッパー構造を構成する補強材の配設パターンを示す平面概略図である。
【図９】本発明の第４の実施例によるアッパー構造を構成する補強材を示す平面拡大部分図である。
【図１０】本発明の第５の実施例によるアッパー構造を構成する補強材を示す平面拡大部分図である。
【図１１】本発明の第６の実施例によるアッパー構造を構成する補強材を示す平面拡大部分図である。
【図１２】本発明の第７の実施例によるアッパー構造を構成する補強材を示す平面拡大部分図である。
【図１３】本発明の第８の実施例によるアッパー構造を構成する補強材を示す平面拡大部分図である。
【図１４】本発明の第９の実施例によるアッパー構造を構成する補強材を示す平面拡大部分図である。
【図１５】本発明によるアッパー構造がアッパーの舌革部に適用されたシューズの全体斜視図である。
【図１６】本発明によるアッパー構造がアッパー中足部領域に適用されたシューズの全体斜視図である。
【符号の説明】
【００６１】
１：  シューズ
２：  アッパー
４：  アッパー構造
４０：  生地
４１：  編目
４２：  空隙
４５：  補強材
４５ａ：  線材
４５ｂ：  線材
４５ｃ：  開孔
【図１】
2007061388.tif 000003
【図２】
2007061388.tif 000004
【図３】
2007061388.tif 000005
【図４】
2007061388.tif 000006
【図５】
2007061388.tif 000007
【図６】
2007061388.tif 000008
【図７】
2007061388.tif 000009
【図８】
2007061388.tif 000010
【図９】
2007061388.tif 000011
【図１０】
2007061388.tif 000012
【図１１】
2007061388.tif 000013
【図１２】
2007061388.tif 000014
【図１３】
2007061388.tif 000015
【図１４】
2007061388.tif 000016
【図１５】
2007061388.tif 000017
【図１６】
2007061388.tif 000018